(57)【特許請求の範囲】
【請求項１】
装飾シート（１０）の表面にＵＶ硬化樹脂インクでプリントして立体パターン（１０ａ）を形成する段階と、
紫外線ランプが装着された紫外線硬化装置の内部コンベヤーを介して立体パターン（１０ａ）が印刷された装飾シート（１０）を通過させて立体パターン（１０ａ）を硬化させる段階と、
装飾シート（１０）の上部に隠蔽シート（１１）を付着する段階と、
装飾シート（１０）の下部にコアシート（１２）、下部印刷シート（１３ｂ）、下部コート紙（１４ｂ）を順次に積層し、装飾シート（１０）の上部には、上部印刷シート（１３ａ）、上部コート紙（１４ａ）を順次に積層する段階と、
積層が完了されたシートに熱を加えながら圧着して隠蔽シート（１１）が立体パターン（１０ａ）の外形に密着されて、透明な上部印刷シート（１３ａ）の内部に隠蔽シート（１１）で覆われた立体パターン（１０ａ）が形成されるようにする段階と、
一体に圧着されたシートをカードの外形に沿って切断する段階と、からなることを特徴とする立体パターンが隠蔽されたプラスチックカードの製造方法。
【請求項２】
装飾シート（１０）の表面に、デジタルプリンタ機を利用して立体パターン（１０ａ）を形成する段階と、
紫外線ランプが装着された紫外線硬化装置の内部コンベヤーを介して立体パターン（１０ａ）が印刷された装飾シート（１０）を通過させて立体パターン（１０ａ）を硬化させる段階と、
装飾シート（１０）の上部に隠蔽シート（１１）を付着する段階と、
装飾シート（１０）の下部にコアシート（１２）、下部印刷シート（１３ｂ）、下部コート紙（１４ｂ）を順次に積層し、装飾シート（１０）の上部には、上部印刷シート（１３ａ）、上部コート紙（１４ａ）を順次に積層する段階と、
積層が完了されたシートに熱を加えながら圧着して隠蔽シート（１１）が立体パターン（１０ａ）の外形に密着されて、透明な上部印刷シート（１３ａ）の内部に隠蔽シート（１１）で覆われた立体パターン（１０ａ）が形成されるようにする段階と、
一体に圧着されたシートをカードの外形に沿って切断する段階と、からなることを特徴とする立体パターンが隠蔽されたプラスチックカードの製造方法。
【請求項３】
装飾シート（１０）の表面にはＵＶ硬化樹脂インクでプリントして、立体パターン（１０ａ）が形成され、紫外線ランプが装着された紫外線硬化装置の内部コンベヤーを介して立体パターン（１０ａ）が印刷された装飾シート（１０）を通過させて紫外線で硬化させた立体パターン（１０ａ）が形成され、装飾シート（１０）の上部に付着された隠蔽シート（１１）は立体パターン（１０ａ）の外形に密着され、装飾シート（１０）の下部には、コアシート（１２）、下部印刷シート（１３ｂ）、下部コート紙（１４ｂ）が順次に積層され、装飾シート（１０）の上部には、上部印刷シート（１３ａ）、上部コート紙（１４ａ）が順次に積層されて一体に熱接着され、透明な上部印刷シート（１３ａ）の内部に隠蔽シート（１１）で覆われた立体パターン（１０ａ）が形成されて、外部で投影された立体パターン（１０ａ）を見ることができるように構成したことを特徴とする立体パターンが隠蔽されたプラスチックカード。
【請求項４】
前記コアシート（１２）にはアンテナコイル（２１）を熱接着して配線し、ＩＣチップ（２０）と接点で接続された構造がさらに含まれるように構成したことを特徴とする請求項３に記載の立体パターンが隠蔽されたプラスチックカード。
【請求項５】
前記隠蔽シート（１１）は金箔や銀箔のような金属シートや印刷紙及び蒸着シートのように立体パターン（１０ａ）を隠蔽することができるシートであることを特徴とする請求項３に記載の立体パターンが隠蔽されたプラスチックカード。
【請求項６】
前記装飾シート（１０）に印刷された立体パターン（１０ａ）はＵＶ硬化樹脂インクをシルクスクリーンでプリントするか、陰陽刻付着物を接着して立体パターン（１０ａ）を形成したもの中の何れか一つであることを特徴とする請求項３に記載の立体パターンが隠蔽されたプラスチックカード。
【請求項７】
前記上部印刷シート（１３ａ）と下部印刷シート（１３ｂ）の印刷は、オフセット印刷、シルクスクリーン印刷及びデジタル印刷の中のいずれか一つであることを特徴とする請求項３に記載の立体パターンが隠蔽されたプラスチックカード。
【発明の詳細な説明】
【技術分野】
【０００１】
本発明は、立体パターンが隠蔽されたプラスチックカードの製造方法及び立体パターンが隠蔽されたプラスチックカードに関するもので、より詳しくは、カードの内部で投影される立体パターンによってカードの見掛けが美麗に装飾され、高品位を感じることができる立体パターンプラスチックカードを具現することができる発明に関する。
【背景技術】
【０００２】
一般に、プラスチックカードはクレジットカード（ｃｒｅｄｉｔ  ｃａｒｄ）、キャッシュカード（ｃａｓｈ  ｃａｒｄ）、交通カードのように現金の代わりに使用することができ、大容量の情報を収録することができる集積回路チップが内装されたカードは病院の診察カード、各種メンバーカードなどで活用されるもので、現代には様々な用途のプラスチックカードが広く使用されている。
【０００３】
プラスチックカードにはカードの見掛けを装飾し、多様な情報を表すために、オフセットやシルクスクリーン印刷を通じて多用な色を表すパターンや文字などを印刷した印刷紙が使用される。
【０００４】
しかしながら、印刷を通じてカードの見掛けを装飾する場合には、より立体的でユニークな質感を表すようして、カードの見掛けを高級化したり、高品位を感じることができるようにする効果は期待することができなかった。
【０００５】
従って、従来には、特許文献１（韓国登録特許第１０−０７８６９８８号「螺鈿パターン装飾クレジットカード」）、及び特許文献２（韓国公開特許第１０−２００９−００７１８８０号「金属カードの製造方法」）が提案された。
【０００６】
前記先行技術１は、薄いシートからなる螺鈿を特定パターンに切断した螺鈿パターンを上側に位置したシートに置かれるようにし、上部コート紙及び下部コート紙と一緒に熱接着して形成された螺鈿パターン装飾クレジットカードに関するものであり、先行技術２は、金属片をカードのサイズに合わせて切断し、透明紙、印刷紙及び金属片をプレスで圧着して製造された金属カードに関するものである。
【０００７】
しかしながら、特許文献１、２の螺鈿カードと金属カードは、材質が異なる螺鈿と金属片を合成樹脂シートに付着するため、材料の異質感により強固に付着されることができなく、接着強度が顕著に低下されて、プラスチックカードが曲がりながら変形したり、湿気が付与されると、シートが互いに分離されるなどの問題が発生した。
【０００８】
特に、従来の装飾カードは、単純に他の材質のシートを付着して使用するため、カードの内部に隠れた立体パターンが外部に投影されて、よりユニークな立体感を感じることができるようにする効果は期待することができなかった。
【先行技術文献】
【特許文献】
【０００９】
【特許文献１】韓国登録特許第１０−０７８６９８８号明細書
【特許文献２】韓国公開特許第１０−２００９−００７１８８０号明細書
【発明の概要】
【発明が解決しようとする課題】
【００１０】
本発明は、前述した問題点に鑑みて創案されたもので、その目的は、カードの内部に隠された立体パターンが外部に投影されて、よりユニークな立体感を感じることができる立体パターンが隠蔽されたプラスチックカードの製造方法及び立体パターンが隠蔽されたプラスチックカードを提供することにある。
【課題を解決するための手段】
【００１１】
前記目的を達するための本発明の特徴は、装飾シート１０の表面にＵＶ硬化樹脂インクでプリントして立体パターン１０ａを形成する段階と、立体パターン１０ａが印刷された装飾シート１０に紫外線を照射して、立体パターン１０ａを硬化させる段階と、装飾シート１０の上部に隠蔽シート１１を付着する段階と、装飾シート１０の下部にコアシート１２、下部印刷シート１３ｂ、下部コート紙１４ｂを順次に積層し、装飾シート１０の上部には、上部印刷シート１３ａ、上部コート紙１４ａを順次に積層する段階と、積層が完了されたシートに熱を加えながら圧着して隠蔽シート１１が立体パターン１０ａの外形に密着されて、透明な上部印刷シート１３ａの内部に隠蔽シート１１で覆われた立体パターン１０ａが形成されるようにする段階と、一体に圧着されたシートをカードの外形に沿って切断する段階とからなることを特徴とする立体パターンが隠蔽されたプラスチックカードの製造方法によって達成することができる。
【発明の効果】
【００１２】
以上で説明した製造過程により完成された本発明の立体パターンプラスチックカードは、積層されたシートに熱を加えながら押圧すれば透明な上部印刷シート１３ａが溶融され硬化される過程で、上部印刷シート１３ａの内部に隠蔽シート１１で覆われた立体パターン１０ａが形成されるもので、平面をなす平坦な上部印刷シート１３ａの内部に隠された立体パターン１０ａが投影されて屈折された画像を見ることができるので、よりユニークでありながらも立体感を感じることができる高品位のプラスチックカードを具現することができ、より多様性とユニークを求める現代消費者の購買欲求を満たすことができる高品位のプラスチックカードを提供することができるなどの利点がある。
【図面の簡単な説明】
【００１３】
【図１ａ】本発明の製造過程を断面図で示した製造工程図である。
【図１ｂ】本発明の製造過程を断面図で示した製造工程図である。
【図１ｃ】本発明の製造過程を断面図で示した製造工程図である。
【図１ｄ】本発明の製造過程を断面図で示した製造工程図である。
【図１ｅ】本発明の製造過程を断面図で示した製造工程図である。
【図２】本発明の一実施例を例示した一部拡大断面図である。
【図３】本発明による立体パターンプラスチックカードの斜視図である。
【図４】本発明による立体パターンプラスチックカードの分解斜視図である。
【発明を実施するための形態】
【００１４】
以下、前記目的を達するための好ましい実施例を添付図面を参照して詳しく説明すれば次の通りである。
【００１５】
実施例
図１ａに示すように、合成樹脂からなる装飾シート１０の表面にＵＶ硬化樹脂インクでプリントして所定厚さを有する立体パターン１０ａを形成する段階を実施した。
【００１６】
前記装飾シート１０に印刷された立体パターン１０ａはＵＶ硬化樹脂インクを厚くシルクスクリーンでプリントして立体的なパターンを印刷したものや、場合によっては、メタルステッカーのような陰陽刻付着物を接着して、立体パターン１０ａを形成することもできる。
【００１７】
次に、立体パターン１０ａが印刷された装飾シート１０に紫外線を照射して、立体パターン１０ａを硬化させる段階を実施した。
【００１８】
実施例によって、立体パターン１０ａはデジタルプリンタ機を利用して装飾シート１０上にプリントされることができる。
【００１９】
前記前記立体パターンの硬化は、図１ｂに示すように、紫外線ランプ３１が装着された紫外線硬化装置３０の内部コンベヤー３２を介して装飾シート１０を通過させて立体パターン１０ａの迅速な硬化が行われるようにした。
【００２０】
次に、図１ｃに示すように、装飾シート１０の上部に隠蔽シート１１を付着する段階を実施した。この段階は、装飾シート１０に突出された立体パターン１０ａが隠蔽シート１１によって覆われて保護されるようにする段階である。
【００２１】
前記隠蔽シート１１は立体パターン１０ａを隠蔽するために使用されるもので、本発明では、金箔や銀箔のような金属シートを使用したが、その他の印刷紙及び蒸着シートのように立体パターン１０ａを隠蔽することができるシートであれば使用することができる。
【００２２】
次に、図１ｄに示すように、装飾シート１０の下部にコアシート１２、下部印刷シート１３ｂ、下部コート紙１４ｂを順次に積層させる一方、装飾シート１０の上部には上部印刷シート１３ａ、上部コート紙１４ａを順次に積層してシートを積層する段階を実施した。
【００２３】
前記上部印刷シート１３ａと下部印刷シート１３ｂの印刷はオフセット印刷で印刷したものや、その他のシルクスクリーン印刷やデジタルプリント印刷によって上部印刷シート１３ａ、下部印刷シート１３ｂを印刷することができるので、本発明では、印刷シートの印刷方法に限定されるものではない。
【００２４】
次に、図１ｅに示すように、積層が完了されたシートに熱を加えながら圧着して熱接着する段階を実施した。
【００２５】
この段階で積層されたシートに熱を加えながら押圧すれば、隠蔽シート１１は立体パターン１０ａの外形に密着され、透明な上部印刷シート１３ａは溶融されながら立体パターン１０ａを囲むので、上部印刷シート１３ａの内部に隠蔽シート１１で覆われた立体パターン１０ａが形成される。
【００２６】
この時、上部印刷シート１３ａ及び上部コート紙１４ａは加熱された金属板によって押圧されて、表面は平らな平面をなし、内部に立体パターン１０ａが形成されて投影されるので、平らな上部印刷シート１３ａの内部に隠された立体パターン１０ａを見ることができる。
【００２７】
次に、一体に圧着されたシートをプレスでパンチングして、カードの外形をなすように切断する段階を実施して、立体パターンを有するプラスチックカードを完成した。
【００２８】
この時、カードの切断作業は、プレスのパンチング作業により、複数枚のカードが同時に切断されるようにした。
【００２９】
前述した構成からなる本発明は、積層されたシートに熱を加えながら押圧すれば、透明な上部印刷シート１３ａが溶融されてから硬化される過程で、上部印刷シート１３ａの内部に隠蔽シート１１で覆われた立体パターン１０ａが形成され、平面をなす平坦な上部印刷シート１３ａの内部に隠された立体パターン１０ａが屈折されながら投影されて、立体的な画面を見ることができる。それにより、よりユニークでありながら立体感を感じることができる高品位のプラスチックカードを具現することができる。
【００３０】
特に、カードの表面に表出されるパターンは立体で表示される一方、表面は平坦で、よりユニークな美感を与えることができ、作業性が良好で、大量生産が可能であるので、プラスチックカードの表面は、平面を維持した状態で内部の立体パターンが浮き彫りにされて投影されて、より多様でユニークを求める現代消費者の欲求を満たすことができるだけでなく、対外競争力に優れた高品質、高機能性のプラスチックカードを提供することができるなどの利点がある。
【００３１】
前述した製造過程により完成された本発明の立体パターンが隠蔽されたプラスチックカードは、装飾シート１０の表面にはＵＶ硬化樹脂インクでプリントして、紫外線硬化させた立体パターン１０ａが形成され、装飾シート１０の上部に付着された隠蔽シート１１は、立体パターン１０ａの外形に密着され、装飾シート１０の下部には、コアシート１２、下部印刷シート１３ｂ、下部コート紙１４ｂが順次に積層され、装飾シート１０の上部には、上部印刷シート１３ａ、上部コート紙１４ａが順次に積層されて一体に熱接着され、透明な上部印刷シート１３ａの内部に隠蔽シート１１で覆われた立体パターン１０ａが形成されて、外部で投影された立体パターン１０ａを見ることができるように構成されている。
【００３２】
一方、場合によっては、図３〜図４に示すように、前記コアシート１２には、アンテナコイル２１を熱接着して配線し、ＩＣチップ２０と接点で接続した構造がさらに含まれるように構成して、ＲＦＩＤカード及び接触と非接触が共有するコンビカード（Ｃｏｍｂｉ  Ｃａｒｄ）で使用することができるように構成することができる。
【００３３】
前記アンテナコイル２１は、銅線を高周波アダプターで加熱しながら配線するか、腐食によるエッチング（ｅｔｃｈｉｎｇ）加工法による銅薄板で形成することができる。
【００３４】
図面において、未説明符号２２は、コアシート１２に装着されたＩＣチップ２０が露出されることができるように装飾シート１０、上部印刷シート１３ａ、上部コート紙１４ａに穿孔された穴である。
【００３５】
以上では、本発明の好ましい実施例について図面を参照して説明したが、本発明は上述した実施例に限定されず、特許請求範囲で請求する本発明の要旨を逸脱することなく、当該本発明が属する技術分野において通常の知識を有する者であれば、誰でも様々な変形実施が可能であることはもちろんのこと、そのような変更は記載された特許請求範囲内に属するものとする。
【符号の説明】
【００３６】
１０：装飾シート
１０ａ：立体パターン
１１：隠蔽シート
１２：コアシート
１３ａ：上部印刷シート
１３ｂ：下部印刷シート
１４ａ：上部コート紙
１４ｂ：下部コート紙
２０：ＩＣチップ
３０：紫外線硬化装置
３１：紫外線ランプ
３２：コンベヤー
【図１ａ】
0006438965.tif 000002
【図１ｂ】
0006438965.tif 000003
【図１ｃ】
0006438965.tif 000004
【図１ｄ】
0006438965.tif 000005
【図１ｅ】
0006438965.tif 000006
【図２】
0006438965.tif 000007
【図３】
0006438965.tif 000008
【図４】
0006438965.tif 000009